(57)【特許請求の範囲】
【請求項１】
荷物を宅配ボックスへ配送する配送者に操作される配送者端末とネットワークを介して接続されるサーバであって、
前記宅配ボックスが有するボックスの予約状況を複数の前記宅配ボックスに対して前記ボックスごとに管理する管理データを記憶する記憶部と、
前記配送者端末からの前記宅配ボックスの指定を受けて、前記管理データに基づき、指定された前記宅配ボックスの有する前記ボックスの前記予約状況を示す予約情報を生成する生成部と、
前記予約情報を前記配送者端末に送信する通信部と、
前記配送者端末からの前記ボックスの予約の要求を受けて、当該要求の対象となる前記ボックスの前記予約状況に当該要求が新規予約として含められるように、前記管理データを更新する予約設定部と、を備え、
前記予約設定部は、前記ボックスが予約されている期間の開始時になっても前記ボックスが使用可能とならない場合に、当該ボックスに設定されている予約を、予約が設定されていない他のボックスに切り替える振替予約を設定する
宅配ボックス管理サーバ。
【請求項２】
前記予約状況は、前記ボックスが予約されている期間である予約期間を含み、
前記予約設定部は、前記新規予約として、前記要求の受信時よりも後の期間のなかで前記予約期間が設定されていない期間に、新たな前記予約期間を設定する
請求項１に記載の宅配ボックス管理サーバ。
【請求項３】
前記予約設定部は、複数の前記配送者端末から前記ボックスの予約の要求を受けて前記要求ごとに前記管理データを更新することによって、前記予約情報の示す前記予約状況に各配送者端末からの各要求に応じた前記新規予約を含める
請求項１または２に記載の宅配ボックス管理サーバ。
【請求項４】
前記記憶部は、前記荷物の受取人である利用者の連絡先を含む利用者情報を記憶し、
前記配送者端末からの要求を受けて、前記利用者の前記連絡先に、前記荷物の配送の代替手段の選択を求める通知を行う通知部をさらに備える
請求項１〜３のいずれか一項に記載の宅配ボックス管理サーバ。
【請求項５】
前記代替手段には、前記荷物の配送される前記宅配ボックスの変更、前記荷物の配送時期の延期、および、前記利用者への前記荷物の直接配送の少なくとも１つが含まれる
請求項４に記載の宅配ボックス管理サーバ。
【請求項６】
前記予約設定部は、互いに異なる前記配送者の操作する複数の前記配送者端末からの前記ボックスの予約の要求を受けて、前記管理データを更新し、
前記管理データを用いて、前記配送者ごとの前記宅配ボックスの利用の程度を集計する集計部をさらに備える
請求項１〜５のいずれか一項に記載の宅配ボックス管理サーバ。
【請求項７】
荷物を宅配ボックスへ配送する配送者に操作される配送者端末と、
前記配送者端末とネットワークを介して接続される宅配ボックス管理サーバと、
を備える宅配ボックス管理システムであって、
前記宅配ボックス管理サーバは、
前記宅配ボックスが有するボックスの予約状況を複数の前記宅配ボックスに対して前記ボックスごとに管理する管理データを記憶する記憶部と、
前記配送者端末からの前記宅配ボックスの指定を受けて、前記管理データに基づき、指定された前記宅配ボックスの有する前記ボックスの前記予約状況を示す予約情報を生成する生成部と、
前記予約情報を前記配送者端末に送信する通信部と、
前記配送者端末からの前記ボックスの予約の要求を受けて、当該要求の対象となる前記ボックスの前記予約状況に当該要求が新規予約として含められるように、前記管理データを更新する予約設定部と、を備え、
前記予約設定部は、前記ボックスが予約されている期間の開始時になっても前記ボックスが使用可能とならない場合に、当該ボックスに設定されている予約を、予約が設定されていない他のボックスに切り替える振替予約を設定する
宅配ボックス管理システム。
【請求項８】
荷物を宅配ボックスへ配送する配送者に操作される配送者端末と、
前記配送者端末とネットワークを介して接続される宅配ボックス管理サーバと、
を用いて行われる宅配ボックス管理方法であって、
前記配送者端末が前記宅配ボックス管理サーバに対して前記宅配ボックスを指定するステップと、
前記宅配ボックス管理サーバが、前記宅配ボックスが有するボックスの予約状況を複数の前記宅配ボックスに対して前記ボックスごとに管理する管理データに基づき、前記配送者端末に指定された前記宅配ボックスの有する前記ボックスの前記予約状況を示す予約情報を生成して前記配送者端末に送信するステップと、
前記配送者端末が前記宅配ボックス管理サーバに前記ボックスの予約を要求するステップと、
前記宅配ボックス管理サーバが、前記予約の要求を受けて、当該要求の対象となる前記ボックスの前記予約状況に当該要求が新規予約として含められるように、前記管理データを更新するステップと、
前記宅配ボックス管理サーバが、前記ボックスが予約されている期間の開始時になっても前記ボックスが使用可能とならない場合に、当該ボックスに設定されている予約を、予約が設定されていない他のボックスに切り替える振替予約を設定するステップと、
を含む宅配ボックス管理方法。
【発明の詳細な説明】
【技術分野】
【０００１】
本発明は、宅配ボックスの利用状況を管理する宅配ボックス管理サーバ、宅配ボックス管理システム、および、宅配ボックス管理方法に関する。
【背景技術】
【０００２】
従来から、宅配便等の荷物の受取りに、宅配ボックスが利用されている。宅配ボックスは、荷物の受取人の住居入口等に設置され、荷物を収容可能な１以上のボックスを有している。荷物の配送業者は、宅配ボックスの有するボックスの１つに荷物を預け入れ、当該ボックスに荷物を預け入れたことを受取人に通知する。通知を受けた受取人は、パスワードの入力等の所定の認証処理を経て上記ボックスを開け、荷物を取り出す（例えば特許文献１参照）。このように宅配ボックスが利用されることによって、受取人は、自分の都合のよい時に、荷物を受け取ることができる。
【先行技術文献】
【特許文献】
【０００３】
【特許文献１】特許第４８８１５８８号明細書
【発明の概要】
【発明が解決しようとする課題】
【０００４】
ところで、宅配ボックスに荷物を預け入れることができるか否かは、宅配ボックスの有する複数のボックスのなかに、利用可能なボックス、すなわち、荷物の収容されていないボックスがあるか否かによって決まる。そして、配送業者は、宅配ボックスの設置箇所に荷物を運ぶまで、当該宅配ボックスにおける利用可能なボックスの有無を知ることができない。結果として、利用可能なボックスがなく、受取人も不在である場合には、配送業者は荷物を持ち帰って後日再び配達を行わざるを得ず、荷物の配送効率の低下が生じている。
【０００５】
本発明は、荷物の配送効率を高めることのできる宅配ボックス管理サーバ、宅配ボックス管理システム、および、宅配ボックス管理方法を提供することを目的とする。
【課題を解決するための手段】
【０００６】
上記課題を解決する宅配ボックス管理サーバは、荷物を宅配ボックスへ配送する配送者に操作される配送者端末とネットワークを介して接続されるサーバであって、前記宅配ボックスが有するボックスの予約状況を複数の前記宅配ボックスに対して前記ボックスごとに管理する管理データを記憶する記憶部と、前記配送者端末からの前記宅配ボックスの指定を受けて、前記管理データに基づき、指定された前記宅配ボックスの有する前記ボックスの前記予約状況を示す予約情報を生成する生成部と、前記予約情報を前記配送者端末に送信する通信部と、前記配送者端末からの前記ボックスの予約の要求を受けて、当該要求の対象となる前記ボックスの前記予約状況に当該要求が新規予約として含められるように、前記管理データを更新する予約設定部と、を備える。
【０００７】
上記課題を解決する宅配ボックス管理システムは、荷物を宅配ボックスへ配送する配送者に操作される配送者端末と、前記配送者端末とネットワークを介して接続される宅配ボックス管理サーバと、を備える宅配ボックス管理システムであって、前記宅配ボックス管理サーバは、前記宅配ボックスが有するボックスの予約状況を複数の前記宅配ボックスに対して前記ボックスごとに管理する管理データを記憶する記憶部と、前記配送者端末からの前記宅配ボックスの指定を受けて、前記管理データに基づき、指定された前記宅配ボックスの有する前記ボックスの前記予約状況を示す予約情報を生成する生成部と、前記予約情報を前記配送者端末に送信する通信部と、前記配送者端末からの前記ボックスの予約の要求を受けて、当該要求の対象となる前記ボックスの前記予約状況に当該要求が新規予約として含められるように、前記管理データを更新する予約設定部と、を備える。
【０００８】
上記課題を解決する宅配ボックス管理方法は、荷物を宅配ボックスへ配送する配送者に操作される配送者端末と、前記配送者端末とネットワークを介して接続される宅配ボックス管理サーバと、を用いて行われる宅配ボックス管理方法であって、前記配送者端末が前記宅配ボックス管理サーバに対して前記宅配ボックスを指定するステップと、前記宅配ボックス管理サーバが、前記宅配ボックスが有するボックスの予約状況を複数の前記宅配ボックスに対して前記ボックスごとに管理する管理データに基づき、前記配送者端末に指定された前記宅配ボックスの有する前記ボックスの前記予約状況を示す予約情報を生成して前記配送者端末に送信するステップと、前記配送者端末が前記宅配ボックス管理サーバに前記ボックスの予約を要求するステップと、前記宅配ボックス管理サーバが、前記予約の要求を受けて、当該要求の対象となる前記ボックスの前記予約状況に当該要求が新規予約として含められるように、前記管理データを更新するステップと、を含む。
【０００９】
上記構成あるいは方法によれば、配送者は、宅配ボックスのボックスを予約することができる。したがって、配送者が、荷物を収容可能なボックスがないために宅配ボックスまで運んだ荷物を持ち帰り、再度配達することが抑えられる。したがって、荷物の配送効率が高められる。また、荷物の大きさや配送時期を的確に把握できる配送者が予約を行うため、ボックスが不要に長く予約されることが抑えられる。したがって、宅配ボックスの利用効率が高められる。
【００１０】
上記宅配ボックス管理サーバにおいて、前記予約状況は、前記ボックスが予約されている期間である予約期間を含み、前記予約設定部は、前記新規予約として、前記要求の受信時よりも後の期間のなかで前記予約期間が設定されていない期間に、新たな前記予約期間を設定することが好ましい。
【００１１】
通常、荷物の配達はボックスの予約の要求時よりも後に行われる。したがって、上記構成によれば、ボックスが不要に長く予約されることが抑えられるため、宅配ボックスの利用効率が高められる。
【００１２】
上記宅配ボックス管理サーバにおいて、前記予約設定部は、複数の前記配送者端末から前記ボックスの予約の要求を受けて前記要求ごとに前記管理データを更新することによって、前記予約情報の示す前記予約状況に各配送者端末からの各要求に応じた前記新規予約を含めることが好ましい。
【００１３】
上記構成によれば、ある配送者端末を利用する配送者は、予約状況を確認することによって、他の配送者端末を利用する配送者の配送予定を踏まえて、ボックスを予約することができる。
【００１４】
上記宅配ボックス管理サーバにおいて、前記記憶部は、前記荷物の受取人である利用者の連絡先を含む利用者情報を記憶し、上記宅配ボックス管理サーバは、前記配送者端末からの要求を受けて、前記利用者の前記連絡先に、前記荷物の配送の代替手段の選択を求める通知を行う通知部をさらに備えることが好ましい。
【００１５】
上記構成によれば、配送に利用者の意向が反映されることによって、再配達等の頻度が低減されて荷物の配送効率が高められるとともに、利用者の利便性も向上する。
上記宅配ボックス管理サーバにおいて、前記代替手段には、前記荷物の配送される前記宅配ボックスの変更、前記荷物の配送時期の延期、および、前記利用者への前記荷物の直接配送の少なくとも１つが含まれることが好ましい。
【００１６】
上記構成によれば、代替手段として適切な手段が利用者に示される。
上記宅配ボックス管理サーバにおいて、前記予約設定部は、互いに異なる前記配送者の操作する複数の前記配送者端末からの前記ボックスの予約の要求を受けて、前記管理データを更新し、上記宅配ボックス管理サーバは、前記管理データを用いて、前記配送者ごとの前記宅配ボックスの利用の程度を集計する集計部をさらに備えることが好ましい。
【００１７】
上記構成によれば、集計結果を利用して、配送者への課金や宅配ボックスの利用状況の解析を行うことができる。
【発明の効果】
【００１８】
本発明によれば、荷物の配送効率を高めることができる。
【図面の簡単な説明】
【００１９】
【図１】宅配ボックス管理システムの一実施形態の全体構成を示す図である。
【図２】一実施形態の宅配ボックス管理システムにおける利用者情報の登録の手順を示すシーケンス図である。
【図３】一実施形態の宅配ボックス管理システムにおける宅配ボックス情報の利用の手順を示すシーケンス図である。
【図４】一実施形態の宅配ボックス管理システムにおける宅配ボックス情報が表示された利用者端末の画面の一例を示す図である。
【図５】一実施形態の宅配ボックス管理システムにおける荷物が発送されるまでの手順を示すシーケンス図である。
【図６】一実施形態の宅配ボックス管理システムにおけるボックス使用情報の確認および宅配ボックスの予約の手順を示すシーケンス図である。
【図７】一実施形態の宅配ボックス管理システムにおけるボックス使用情報が表示された配送者端末の画面の一例を示す図である。
【図８】一実施形態の宅配ボックス管理システムにおいて利用可能なボックスがない場合の処理の手順を示すシーケンス図である。
【図９】一実施形態の宅配ボックス管理システムにおける宅配ボックスへの荷物の預入れの手順を示すシーケンス図である。
【図１０】一実施形態の宅配ボックス管理システムにおける宅配ボックスからの荷物の取出しの手順を示すシーケンス図である。
【発明を実施するための形態】
【００２０】
図１〜図１０を参照して、宅配ボックス管理サーバ、宅配ボックス管理システム、および、宅配ボックス管理方法の一実施形態について説明する。なお、本実施形態では、一例として、配送される荷物が、荷物の受取人がＥＣサイト（エレクトロニック・コマース・サイト）を通じて購入した商品である場合について説明する。
【００２１】
［宅配ボックス管理システムの全体構成］
図１を参照して、宅配ボックス管理システムの全体構成について説明する。
図１に示されるように、宅配ボックス管理システムは、宅配ボックス管理サーバ１０と、複数の宅配ボックス２０と、１以上の利用者端末３０と、配送者端末４０とを備えている。配送者端末４０の数は１以上であればよいが、以下では、宅配ボックス管理システムが複数の配送者端末４０を備える場合について説明する。
【００２２】
宅配ボックス管理サーバ１０と宅配ボックス２０とは、ネットワークに接続され、ネットワークを通じて相互にデータの送信および受信を行う。また、宅配ボックス管理サーバ１０と利用者端末３０とは、ネットワークに接続され、ネットワークを通じて相互にデータの送信および受信を行う。また、宅配ボックス管理サーバ１０と配送者端末４０とは、ネットワークに接続され、ネットワークを通じて相互にデータの送信および受信を行う。
【００２３】
さらに、利用者端末３０は、ネットワークに接続されたＥＣサイトサーバ５０と、ネットワークを通じて相互にデータの送信および受信を行う。
上述の各装置の通信に用いられるネットワークは、インターネット等の汎用の通信回線であってもよいし、各装置の通信のための専用通信回線であってもよい。また、各装置の通信に用いられるネットワークは、共通した１つのネットワークであってもよいし、独立した複数のネットワークを含んでいてもよい。
【００２４】
利用者端末３０は、例えば、パーソナルコンピュータやスマートフォンやタブレット端末等のコンピュータ端末に具体化される。利用者端末３０は、荷物の受取人となり得る利用者に利用される。
【００２５】
配送者端末４０は、例えば、パーソナルコンピュータやスマートフォンやタブレット端末等のコンピュータ端末に具体化される。配送者端末４０は、配送業者等、依頼を受けて荷物を配送する配送者に利用される。宅配ボックス管理システムは、互いに異なる配送者に操作される複数の配送者端末４０を備えている。
【００２６】
宅配ボックス２０は、ロッカーとしての機能を備える装置であって、施錠可能な１以上のボックス２１を有する装置である。ボックス２１は、その内部に、物品を収容可能な空間を区画している。ボックス２１には、ボックス２１の内部における物体の有無を検出する重量センサーや赤外線センサー等のセンサーが設けられている。
【００２７】
また、宅配ボックス２０は、ネットワークを通じた宅配ボックス管理サーバ１０と宅配ボックス２０との接続処理、および、これらの装置間でのデータの送受信を行う通信部２２と、各種の情報を表示する表示部２３と、利用者や配送者の操作を受け付ける操作部２４とを備える。さらに、宅配ボックス２０は、不揮発性メモリを含み、各種のプログラムやデータを記憶する記憶部２５と、ＣＰＵやＲＡＭ等の揮発性メモリを含み、記憶部２５に記憶されたプログラムやデータに基づいて、各種の演算処理や宅配ボックス２０の各部の制御を行う制御部２６とを備える。
【００２８】
表示部２３は、例えば、宅配ボックス２０の筐体に嵌め込まれたディスプレイに具体化され、制御部２６から受けたデータに基づいて、文字等を表示する。操作部２４は、例えば、表示部２３に重ねられたタッチパネルに具体化され、操作部２４に対する操作を信号に変換して制御部２６に入力する。制御部２６は、例えば、ボックス２１の施錠と開錠とを制御し、また、ボックス２１に荷物が出し入れされたときに、その旨を宅配ボックス管理サーバ１０へ通知する処理を行う。
【００２９】
宅配ボックス２０の設置場所は特に限定されず、宅配ボックス２０は、マンション等の住居の入口に設置されてもよいし、駅や商業施設等に設置されてもよい。複数の宅配ボックス２０は、各別の場所に設置されている。
【００３０】
宅配ボックス管理サーバ１０は、通信部１１と、記憶部１２と、制御部１３とを備えている。
通信部１１は、ネットワークを通じて、宅配ボックス管理サーバ１０と、宅配ボックス２０、利用者端末３０、および、配送者端末４０の各装置との接続処理を実行する。また、通信部１１は、宅配ボックス管理サーバ１０と、上記各装置との間でデータの送信および受信を行う。また、通信部１１は、制御部１３による所定の処理の開始に際して、配送者端末４０からの宅配ボックス２０の指定を受ける機能を有し、また、配送者端末４０からボックス２１の予約の要求を受ける機能を有する。
【００３１】
記憶部１２は、ハードディスクドライブ等の不揮発性メモリから構成され、制御部１３の処理に必要なプログラムやデータを記憶している。こうしたデータの一例として、記憶部１２は、利用者情報データベース１２ａ、宅配ボックス情報データベース１２ｂ、および、使用状況管理データ１２ｃを記憶している。
【００３２】
利用者情報データベース１２ａには、利用者に関する情報である利用者情報が利用者ごとに登録されている。利用者情報には、例えば、利用者の氏名や連絡先等が含まれる。
宅配ボックス情報データベース１２ｂには、宅配ボックス２０に関する情報である宅配ボックス情報が、宅配ボックス２０ごとに登録されている。宅配ボックス情報には、宅配ボックス２０の識別情報として機能するボックスＩＤや、宅配ボックス２０の有する各ボックス２１の数やサイズや、宅配ボックス２０の設置エリアおよび詳細な設置場所等が含まれる。宅配ボックス２０の設置エリアは、例えば、市区町村内の区域ごとや駅ごとに区分された範囲を示す。
【００３３】
使用状況管理データ１２ｃは、宅配ボックス２０の使用状況に関するデータであって、宅配ボックス２０ごとのデータとして、宅配ボックス２０の有する各ボックス２１が空いているか否かを示す空き情報や、各ボックス２１の予約状況を含む。予約状況には、予約として、各ボックス２１が予約されている期間である予約期間や予約者等が含まれる。使用状況管理データ１２ｃは、ボックス２１の予約状況をボックス２１ごとに管理する管理データの一例である。
【００３４】
なお、記憶部１２には、上記データの他に、例えば、配送者に関する情報等も記憶される。
制御部１３は、ＣＰＵやＲＡＭ等の揮発性メモリを含み、記憶部１２に記憶されたプログラムやデータに基づいて、通信部１１における通信の制御、記憶部１２における情報の読み出しや書き込み、各種の演算処理等、宅配ボックス管理サーバ１０の各部の制御を行う。
【００３５】
制御部１３は、宅配ボックス管理システムにおける宅配ボックス管理方法を実現する構成の一部として、利用者情報管理部１３ａと、宅配ボックス情報管理部１３ｂと、配送状況管理部１３ｃと、集計部１３ｄとを備えている。
【００３６】
利用者情報管理部１３ａは、利用者端末３０から受信した利用者情報を記憶部１２の利用者情報データベース１２ａに登録する。
宅配ボックス情報管理部１３ｂは、利用者端末３０や配送者端末４０からの要求を受けて、宅配ボックス情報データベース１２ｂに登録されている宅配ボックス情報の抽出や、宅配ボックス情報に基づくデータの生成を行う。
【００３７】
配送状況管理部１３ｃは、１つの荷物が配送される過程において必要な処理を行う。
例えば、配送状況管理部１３ｃは、生成部として機能し、配送者端末４０からの宅配ボックス２０の指定を受けて、使用状況管理データ１２ｃに基づき、指定された宅配ボックス２０の有する全てのボックス２１の使用状況をボックス２１ごとに示すボックス使用情報を生成する。ボックス使用情報には、例えば、ボックス２１の空き情報や、ボックス２１の予約状況等が含まれる。すなわち、ボックス使用情報は、ボックス２１の予約状況を宅配ボックス２０が有する全てのボックス２１に関して示す予約情報の一例である。
【００３８】
また例えば、配送状況管理部１３ｃは、予約設定部として機能し、配送者端末４０からのボックス２１の予約の要求を受けて、使用状況管理データ１２ｃを更新し、該当するボックス２１に、要求に応じた新たな予約を設定する。予約の設定には、予約期間や予約者の設定が含まれる。これにより、要求の対象となるボックス２１の予約状況に新たな予約である新規予約が含められる。
【００３９】
また例えば、配送状況管理部１３ｃは、宅配ボックス２０から、ボックス２１に荷物が入れられたこと、あるいは、ボックス２１から荷物が出されたことの通知を受けたとき、ボックス２１内の荷物の有無に応じて、使用状況管理データ１２ｃを更新し、該当するボックス２１の空き情報が示すステータスを使用中あるいは空室のいずれかに設定する。なお、ステータスが変更される都度、使用状況管理データ１２ｃには、ステータスが変更された日時が記録される。
【００４０】
また例えば、配送状況管理部１３ｃは、配送者端末４０あるいは宅配ボックス２０から受信した荷物の受取人に関する情報である受取人情報に基づいて、利用者情報データベース１２ａを参照し、当該荷物の受取人である利用者を特定する。そして、配送状況管理部１３ｃは、特定した利用者の利用者情報を利用した処理を行う。例えば、配送状況管理部１３ｃは、通知部として機能し、利用者情報を利用して利用者に対する各種の通知を行う。
【００４１】
集計部１３ｄは、使用状況管理データ１２ｃを用いて、宅配ボックス２０の過去の使用状況に関する集計を行う。こうした集計には、例えば、配送者ごとの宅配ボックス２０の利用の程度の集計や、宅配ボックス２０ごとの利用の程度の集計等が含まれる。集計部１３ｄは、集計の結果を示す集計データを生成し、集計データは、例えば、宅配ボックス２０の利用時間に応じた配送者への課金や、宅配ボックス２０の利用状況の解析等に用いられる。
【００４２】
なお、制御部１３において、利用者情報管理部１３ａ、宅配ボックス情報管理部１３ｂ、配送状況管理部１３ｃ、および、集計部１３ｄとしての機能を有する構成は、複数のＣＰＵや、ＲＡＭ等からなるメモリ等の各種のハードウェアによって具体化されてもよく、共通する１つのハードウェアに複数の機能を与えるソフトウェアによって具体化されてもよい。こうしたソフトウェアは、記憶部１２に記憶される。
【００４３】
ＥＣサイトサーバ５０は、ＥＣサイトを提供するサーバであって、ＥＣサイトにて取り扱われている商品の販売に必要な処理、例えば、商品に関する情報の管理や商品の注文の受付けや商品の発送のために必要な処理等を行う。ＥＣサイトサーバ５０が提供するＥＣサイトは、１つのオンライショップから構成されるサイトであってもよいし、複数のオンラインショップから構成されるオンラインモール型のサイトであってもよい。
【００４４】
［宅配ボックス管理システムの処理手順］
図２〜図１０を参照して、宅配ボックス管理システムを利用して行われる荷物の配送の手順について説明する。宅配ボックス管理システムによる処理、および、荷物の配送の過程で生じる処理には、利用者情報の登録、利用者による宅配ボックス情報の利用、荷物の発送、配送者によるボックス使用情報の確認および宅配ボックス２０の予約、配送者による宅配ボックス２０への荷物の預入れ、利用者による宅配ボックス２０からの荷物の取出し、宅配ボックス２０の使用状況の集計等が含まれる。以下では、これらの処理の手順について、順に説明する。
【００４５】
＜利用者情報の登録＞
図２を参照して、宅配ボックス管理サーバ１０への利用者情報の登録の手順について説明する。
【００４６】
図２に示されるように、利用者が操作する利用者端末３０は、宅配ボックス管理サーバ１０に接続し、利用者は、例えば、利用者情報の登録のために宅配ボックス管理サーバ１０が提供するウェブページの指示に従って、利用者端末３０に利用者情報を入力する（ステップＳ１０）。
【００４７】
利用者情報は、利用者に関する情報として、利用者の識別に用いられる情報と、利用者への連絡に用いられる情報とを含んでいれば、その内容は特に限定されない。利用者情報は、例えば、利用者の氏名や、利用者の電話番号や、利用者のメールアドレスを含む。また例えば、利用者情報は、荷物を利用者に直接届ける場合に用いられる住所、例えば利用者の自宅住所や、着払い等の電子決済用のクレジットカード番号等を含んでいてもよい。
【００４８】
利用者端末３０は、入力された利用者情報を、宅配ボックス管理サーバ１０に送信する（ステップＳ１１）。宅配ボックス管理サーバ１０の利用者情報管理部１３ａは、利用者端末３０から通信部１１が受信した利用者情報を、記憶部１２に記憶させる（ステップＳ１２）。これにより、利用者情報データベース１２ａが構築され、利用者ごとの利用者情報が記憶部１２に蓄積される。
【００４９】
利用者情報管理部１３ａは、利用者情報の登録処理が完了すると、当該利用者情報に対応する利用者の識別情報として機能する利用者ＩＤやパスワードを含む認証情報を利用者に割り当て、この認証情報を、通信部１１を介して利用者端末３０に送信する。認証情報は、例えば、利用者情報データベース１２ａにて利用者情報と対応付けられて、記憶部１２に記憶される。
【００５０】
利用者は、認証情報の入力によって宅配ボックス管理サーバ１０から認証を受けた後、宅配ボックス情報の閲覧等、宅配ボックス管理サーバ１０の提供する機能を利用することができる。
【００５１】
＜宅配ボックス情報の利用＞
図３および図４を参照して、利用者による宅配ボックス情報の利用の手順について説明する。上述のように、宅配ボックス情報の利用は、利用者端末３０を通じた認証情報の入力によって宅配ボックス管理サーバ１０から認証を受けた後に行われる。
【００５２】
図３に示されるように、利用者が、例えば、宅配ボックス２０の設置エリア等、情報を確認したい宅配ボックス２０を示す条件を利用者端末３０に入力することに基づき、入力された条件が利用者端末３０から宅配ボックス管理サーバ１０に送信されて、宅配ボックス管理サーバ１０に宅配ボックス情報の送信が要求される（ステップＳ２０）。
【００５３】
宅配ボックス管理サーバ１０の宅配ボックス情報管理部１３ｂは、宅配ボックス情報データベース１２ｂに登録されている情報のなかから、利用者端末３０から通信部１１が受信した上記条件に合致する宅配ボックス２０の宅配ボックス情報を抽出する（ステップＳ２１）。そして、宅配ボックス情報管理部１３ｂは、抽出した宅配ボックス情報を含む表示データを、通信部１１を介して利用者端末３０に送信する（ステップＳ２２）。
【００５４】
利用者端末３０は、宅配ボックス管理サーバ１０から受信した上記表示データに基づく画面を表示部に表示し（ステップＳ２３）、これによって、利用者は、宅配ボックス情報を確認することができる。
【００５５】
図４は、上述の手順によって利用者端末３０に表示された表示画面の一例を示す。図４の表示画面Ｄａに含まれる宅配ボックス情報Ｉｔは、上記条件として、宅配ボックス２０の設置エリアを「秋葉原駅」とする条件が設定された場合に、宅配ボックス情報データベース１２ｂから抽出されて利用者端末３０に送信された宅配ボックス情報の一例である。
【００５６】
図４に示す例では、秋葉原駅に設置されている宅配ボックス２０の一覧が表示され、各宅配ボックス２０について、宅配ボックス情報Ｉｔとして、宅配ボックス２０のボックスＩＤや、設置場所の詳細や、宅配ボックス２０の有するボックス２１の数やサイズが表示されている。
【００５７】
利用者は、利用者端末３０に表示された宅配ボックス情報を確認することによって、例えば、自分が利用しやすい場所にある宅配ボックス２０を知ることができる。
宅配ボックス情報データベース１２ｂに登録されている宅配ボックス情報は、宅配ボックス２０に関する情報であれば特に限定されず、宅配ボックス情報は、上述のような宅配ボックス２０のボックスＩＤや、ボックス２１の数やサイズや、宅配ボックス２０の設置エリアや設置場所に加えて、例えば、宅配ボックス２０の利用可能時間等を含んでいてもよい。また、宅配ボックス管理サーバ１０から利用者端末３０に送信される宅配ボックス情報は、各宅配ボックス２０の宅配ボックス情報として宅配ボックス情報データベース１２ｂに登録されている情報の一部であってもよい。
【００５８】
＜荷物の発送＞
図５を参照して、配送の対象となる荷物が発送される手順、すなわち、荷物が配送者に受け渡される手順について説明する。本実施形態では、上述のように、利用者がＥＣサイトを通じて購入した商品が、配送対象の荷物である。
【００５９】
図５に示されるように、利用者端末３０はＥＣサイトサーバ５０に接続し、利用者は、利用者端末３０を操作して、ＥＣサイトサーバ５０が提供するＥＣサイトにて購入する商品やその数量を選択し、商品を注文する。さらに、ＥＣサイトの指示に従って、利用者は、商品の発送に必要な情報として、商品の受取人に関する情報である受取人情報と、商品の配送先を示す情報である配送先情報とを利用者端末３０に入力する（ステップＳ３０）。
【００６０】
このとき、利用者は、配送先として、自分が商品を受け取る時に利用したい宅配ボックス２０を指定する。この宅配ボックス２０は、宅配ボックス情報データベース１２ｂに登録されている宅配ボックス２０であって、上述のように、利用者は、宅配ボックス情報の閲覧を通じて、登録されている宅配ボックス２０を確認することができる。
【００６１】
受取人情報は、例えば、受取人の氏名や電話番号を含む。すなわち、受取人の氏名は、利用者の氏名であり、受取人の電話番号は利用者の電話番号である。
配送先情報は、宅配ボックス２０の設置エリアやボックスＩＤ等、宅配ボックス２０を特定可能な情報を含む。配送先情報は、さらに、受取人の自宅住所等、商品を受取人に直接届ける場合に用いられる住所を含んでもよい。受取人の自宅住所は、すなわち、利用者の自宅住所である。
【００６２】
なお、受取人情報や配送先情報は、ＥＣサイトの会員情報として、予めＥＣサイトサーバ５０に登録されていてもよい。
利用者端末３０に入力された情報は、ＥＣサイトサーバ５０へ送信され、こうした情報を受信すると、ＥＣサイトサーバ５０は、商品の受注処理を行う（ステップＳ３１）。商品の受注処理には、例えば、商品の注文があったことを、ＥＣサイトの担当者へ通知する処理や、注文の受付けが完了したことを利用者に通知する処理が含まれる。
【００６３】
ＥＣサイトの担当者は、通知を受けて、商品を揃えて梱包し、梱包された商品である荷物の配送を配送者に依頼する。このとき、配送者には、荷物とともに受取人情報と配送先情報とが伝達される。
【００６４】
なお、こうした商品の梱包や荷物の配送の依頼は、ＥＣサイトサーバ５０と連動したシステムによって処理されてもよい。
＜ボックス使用情報の確認および宅配ボックスの予約＞
図６および図７を参照して、配送者によってボックス使用情報が確認される手順、および、宅配ボックス２０のボックス２１が予約される手順について説明する。図６は、ボックス使用情報の確認の結果、利用可能なボックス２１があることが確認されて、ボックス２１の予約が行われる場合の処理手順を示している。
【００６５】
なお、宅配ボックス管理システムを利用する配送者は、予め、宅配ボックス管理サーバ１０に登録され、宅配ボックス管理サーバ１０からは、配送者に対して、配送者の識別情報として機能する配送者ＩＤやパスワードを含む認証情報が通知される。登録に際しては、例えば、配送者の名称や連絡先等の配送者に関する情報が記憶部１２に記憶される。
【００６６】
配送者は、配送者端末４０を通じた認証情報の入力によって宅配ボックス管理サーバ１０から認証を受けた後、ボックス使用情報の確認等、宅配ボックス管理サーバ１０の提供する機能を利用することができる。
【００６７】
図６に示されるように、配送者が、ボックス使用情報を確認したい宅配ボックス２０を指定する情報を配送者端末４０に入力することに基づき、入力された情報が配送者端末４０から宅配ボックス管理サーバ１０に送信されて、宅配ボックス管理サーバ１０にボックス使用情報の送信が要求される（ステップＳ４０）。具体的には、配送者は、配送を依頼された荷物の配送先情報を確認し、配送先として指定されている宅配ボックス２０の設置エリアやボックスＩＤを配送者端末４０に入力する。
【００６８】
宅配ボックス管理サーバ１０の配送状況管理部１３ｃは、ボックス使用情報の要求を受けると、使用状況管理データ１２ｃに基づき、指定された宅配ボックス２０のボックス使用情報を生成する（ステップＳ４１）。そして、配送状況管理部１３ｃは、生成したボックス使用情報を含む表示データを、通信部１１を介して配送者端末４０に送信する（ステップＳ４２）。
【００６９】
配送者端末４０は、宅配ボックス管理サーバ１０から受信した表示データに基づく画面を表示部に表示し（ステップＳ４３）、これによって、配送者は、ボックス使用情報を確認することができる。
【００７０】
配送者は、配送対象の荷物のサイズと荷物の配送予定日とを確認し、配送先として指定されている宅配ボックス２０にて、配送対象の荷物を収容可能なサイズのボックス２１が、配送予定日に空いているか否か、すなわち、配送予定日から所定の期間に当該ボックス２１に予約が設定されていないかどうかを、ボックス使用情報を用いて確認する。配送予定日は、例えば、配送対象の荷物を配送先の宅配ボックス２０まで配達できる最も近い日である。
【００７１】
例えば、配送者端末４０に表示されるボックス使用情報の表示画面や、この表示画面にて所定の領域を選択することによって切り替わる画面には、ボックス２１の予約のための情報の入力を受け付ける領域が区画されている。配送者は、利用可能なボックス２１があることが確認されると、上記領域を利用して、予約を希望するボックス２１を示す例えば番号等の情報と、予約の開始希望時期とを配送者端末４０に入力する。こうした情報が入力されることに基づき、入力された情報が配送者端末４０から宅配ボックス管理サーバ１０に送信されて、宅配ボックス管理サーバ１０にボックス２１の予約が要求される（ステップＳ４４）。予約の開始希望時期は、例えば、配送予定日とされる。
【００７２】
宅配ボックス管理サーバ１０の配送状況管理部１３ｃは、ボックス２１の予約の要求を受けると、使用状況管理データ１２ｃを更新して、指定されたボックス２１に対して要求に応じた新規予約を設定する（ステップＳ４５）。すなわち、配送状況管理部１３ｃは、ボックス２１の予約の要求を受けると、指定されたボックス２１の予約状況のなかに、要求された予約期間と予約者とが新規予約として含められるように、使用状況管理データ１２ｃを更新する。予約期間は、配送者端末４０から受信した情報に含まれる予約の開始希望時期から、例えば３日間等の所定の期間である。この所定の期間は、例えば、宅配ボックス２０の利用効率を高める観点から宅配ボックス２０に１つの荷物を保管可能な期間として、宅配ボックス管理サーバ１０にて予め設定される。予約者は、予約を要求した配送者であって、認証に際して配送者端末４０に入力された配送者ＩＤに基づいて特定される。
【００７３】
そして、配送状況管理部１３ｃは、複数の配送者端末４０からボックス２１の予約の要求を受けてこれらの要求ごとに使用状況管理データ１２ｃを更新することによって、各ボックス２１の予約状況に各配送者端末４０からの各要求に応じた新規予約を含める。
【００７４】
図７は、上述の手順によって配送者端末４０に表示された表示画面の一例を示す。
図７の表示画面Ｄｂには、「Ａｋ−０１」というボックスＩＤを有する宅配ボックス２０についてのボックス使用情報が表示されている。具体的には、ボックス使用情報として、上記宅配ボックス２０が有する４つのボックス２１について、ボックス２１の番号と、ボックス２１のサイズと、現在、すなわち、ボックス使用情報の要求の受信時のボックス２１の空き情報Ｉａとが表示されている。空き情報Ｉａは、ボックス２１の内部に荷物が収容されていることを示す「使用中」と、ボックス２１の内部に荷物が収容されていないことを示す「空室」とのいずれかのステータスを示す。
【００７５】
さらに、ボックス使用情報として、現在から先の期間について、各ボックス２１の予約状況Ｉｂが表示されている。詳細には、予約状況Ｉｂとして、各ボックス２１に設定されている予約期間とその予約者とが、現在から先の期間に含まれる日ごとに表示されている。予約状況Ｉｂには、複数の予約者による予約、すなわち、複数の配送者端末４０から受け付けた複数の配送者による予約が含まれている。
【００７６】
ここで、例として、配送者Ａが、図７に例示されるボックス使用情報を参照して、１３日が配送予定日である中型の荷物を配送するために、宅配ボックス２０のボックス２１の予約を行う場合について説明する。なお、現在は１０日であるとする。
【００７７】
まず、配送者Ａは、表示されているボックス２１のサイズに基づいて、上記荷物を収容可能なボックス２１を確認する。例えば、上記荷物は、「００１」、「００２」、「００３」の各番号のボックス２１には収容可能な大きさであり、「００４」の番号のボックス２１には収容できない大きさであると判断される。
【００７８】
次に、配送者Ａは、上記荷物を収容可能なボックス２１のなかから、配送予定日である１３日から予約期間として設定される期間の間に、予約が設定されていないボックス２１を探す。ここでは、予約期間の長さを３日間とする。例えば、「００１」の番号のボックス２１は、１３日に予約が設定されている。また、「００３」の番号のボックス２１は、１３日には予約が設定されていないものの、１４日から予約が設定されているため、１３日から３日間の予約期間を確保できない。一方、「００２」の番号のボックス２１は、１３日から３日間の間に予約が設定されていないため、予約が可能である。
【００７９】
なお、「００２」の番号のボックス２１における現在の空き情報Ｉａのステータスは「使用中」であるが、現在を含む期間に設定されている予約期間は１１日までであるため、１３日までには荷物が取り出されて、当該ボックス２１の空き情報Ｉａのステータスは「空室」となる予定である。
【００８０】
上記荷物の配送先として「００２」の番号のボックス２１を利用可能であることを確認した配送者Ａは、配送者端末４０を操作して、「００２」の番号のボックス２１の１３日からの予約を宅配ボックス管理サーバ１０に要求する。そして、宅配ボックス管理サーバ１０にて当該予約の設定が行われ、使用状況管理データ１２ｃが更新されることに伴って、ボックス使用情報にも、当該予約が反映される。
【００８１】
このように、ボックス使用情報を用いて、荷物を収容可能なボックス２１に既に予約が設定されているか否かの確認が行われ、その結果に応じて、ボックス２１の予約が行われる。本実施形態では、配送者が荷物の配送の依頼を受けてから、ボックス使用情報が確認され、荷物の配送予定と調整しつつ、ボックス２１の予約が行われる。したがって、新規予約は、現在のボックス２１の空き情報に関わらず、現在よりも後の期間のなかで既に予約が設定されていない期間に、設定される。
【００８２】
なお、予約期間中に受取人による荷物の回収が行われなかった場合には、配送者によって、宅配ボックス２０から荷物が回収される。この配送者による荷物の回収に要する時間を考慮して、同一のボックス２１について、１つの予約期間の後に設定される予約期間は、前の予約期間から、上記配送者による荷物の回収に要する期間、例えば１日等の期間をあけて設定されることが好ましい。
【００８３】
また、上述の例では、配送者が予め決めた配送予定日を基準として、各ボックス２１についての予約の有無が確認されたが、配送者は、ボックス使用情報における各ボックス２１の予約状況Ｉｂに応じて、予約可能な時期に荷物を配送するように配送予定を組んでもよい。
【００８４】
例えば、図７の例において、１３日には各ボックス２１について予約が設定されているが、１４日から空くボックス２１がある場合に、荷物を配送可能な最も近い日は１３日であったとしても、配送者は、１４日から当該ボックス２１を予約して、１４日に荷物を配送するようにしてもよい。
【００８５】
また、上述の例では、予約期間の長さは、宅配ボックス管理サーバ１０にて予め設定されたが、予約の要求時に配送者によって決定されてもよい。
また、上述の例では、予約期間の設定の単位を日単位としたが、時間単位で予約期間の設定が可能であってもよい。
【００８６】
また、現在から先の期間について、各ボックス２１について設定されている予約期間が確認可能であれば、ボックス使用情報は、現在のボックス２１の空き情報や、各予約期間の予約者を含まなくてもよい。
【００８７】
＜利用可能なボックスがない場合の処理手順＞
上述の説明では、ボックス使用情報の確認の結果、利用可能なボックス２１があることが確認されて、宅配ボックス２０のボックス２１の予約が行われる場合について説明した。これに対し、以下では、図８を参照して、ボックス使用情報の確認の結果、利用可能なボックス２１がない場合の処理について説明する。利用可能なボックス２１がない場合、すなわち、配送予定日から予約可能なボックス２１がない場合には、受取人に、指定された宅配ボックス２０への荷物の配送ができない旨の通知が行われ、代替手段の選択が要求される。
【００８８】
例えば、配送者端末４０に表示されるボックス使用情報の表示画面や、この表示画面にて所定の領域を選択することによって切り替わる画面には、指定された宅配ボックス２０へ荷物を配送できないことを受取人に連絡するための情報の入力を受け付ける領域が区画されている。
【００８９】
図８に示されるように、配送者は、上記領域を利用して、受取人を特定可能な情報を配送者端末４０に入力する。こうした情報が入力されることに基づき、入力された情報が配送者端末４０から宅配ボックス管理サーバ１０に送信されて、宅配ボックス管理サーバ１０に配送不可の連絡が要求される（ステップＳ５０）。受取人を特定可能な情報としては、受取人情報の全部もしくは一部が用いられ、例えば、受取人の氏名や電話番号が配送者端末４０に入力される。
【００９０】
宅配ボックス管理サーバ１０の配送状況管理部１３ｃは、配送不可の連絡の要求を受けると、利用者情報データベース１２ａを参照して、配送者端末４０から受信した受取人情報と一致する情報を含む利用者情報を特定する（ステップＳ５１）。そして、配送状況管理部１３ｃは、特定した利用者情報に含まれるメールアドレス宛に、通信部１１を介して、配送不可通知をメールとして送信する（ステップＳ５２）。配送不可通知が送信されるとき、ボックス２１の予約の設定は行われない。
【００９１】
配送不可通知には、受取人が指定した宅配ボックス２０に利用可能なボックス２１がなく、当該宅配ボックス２０に荷物を配送できない旨、および、荷物の配送についての代替手段の選択を求める旨の通知が含まれる。選択可能な代替手段には、例えば、荷物の配送される宅配ボックス２０の変更、荷物の配送時期の延期、および、受取人への荷物の直接配送が含まれる。
【００９２】
宅配ボックス２０の変更は、利用可能なボックス２１がないと判断された宅配ボックス２０、すなわち、ＥＣサイトでの商品の購入時に選択された宅配ボックス２０とは異なる宅配ボックス２０を、荷物の配送先として選び直す手段である。荷物の配送時期の延期は、利用可能なボックス２１がないと判断された宅配ボックス２０のボックス２１が予約可能になるまで、荷物の配送を待つ手段である。直接配送は、受取人に直接荷物を受け渡す手段であって、受取人の自宅等へ荷物を配送する手段である。なお、選択可能な代替手段には、上記３つの手段の一部が含まれてもよく、上記３つの手段以外の手段が含まれてもよい。
【００９３】
こうした代替手段は、例えば、配送不可通知であるメールに記載されたアドレスに利用者端末３０がアクセスすることによって、宅配ボックス管理サーバ１０の提供するウェブページにて選択可能とされればよい。
【００９４】
利用者端末３０にて代替手段が選択されると（ステップＳ５３）、選択結果が、利用者端末３０から宅配ボックス管理サーバ１０に送信される（ステップＳ５４）。
宅配ボックス管理サーバ１０の配送状況管理部１３ｃは、利用者端末３０から選択結果を受信すると、通信部１１を介して、選択結果を配送者端末４０に通知する（ステップＳ５５）。配送者端末４０への通知は、例えば、メールによる送信や宅配ボックス管理サーバ１０の提供するウェブページでの通知によって行われればよい。
【００９５】
配送者は、配送者端末４０にて代替手段の選択結果を確認し、選択結果に応じた処理を行う。例えば、宅配ボックス２０の変更として新たな宅配ボックス２０が指定された場合には、新たな宅配ボックス２０を対象として、先の図６に示す手順が繰り返される。また、荷物の配送時期の延期が選択された場合には、先の図６に示す手順が繰り返されて、当初の配送予定日よりも後の期間にて予約可能な期間にボックス２１の予約が設定される。また、直接配送が選択された場合には、指定された住所へ荷物が配送される。この住所は、配送者が荷物の配送の依頼を受けたときに伝達された受取人情報に含まれていてもよいし、利用者情報に含まれて利用者情報データベース１２ａに登録されており、宅配ボックス管理サーバ１０から配送者端末４０に通知されてもよい。
【００９６】
なお、ＥＣサイトでの商品の購入時に指定された宅配ボックス２０が、配送対象の荷物を収容できるサイズのボックス２１を有していない場合にも、同様に、受取人に配送不可通知が送信されればよい。この場合、代替手段は、荷物の配送時期の延期を含まない。
【００９７】
また、荷物が宅配ボックス２０への配送に適さない物品である場合、例えば、荷物が生ものを含む場合等にも、同様に、受取人に配送不可通知が送信されてもよい。この場合、代替手段となり得る手段は、直接配送のみである。したがって、配送不可通知は、受取人が指定した宅配ボックス２０に荷物を配送できない旨、および、荷物を直接配送する旨の通知であればよく、代替手段の選択は要求されなくてよい。
【００９８】
なお、先の図６を参照して説明したように、宅配ボックス２０のボックス２１の予約が行われる場合についても、受取人にボックス２１の予約が完了した旨の通知が行われてもよい。すなわち、配送者端末４０に入力された受取人情報が宅配ボックス管理サーバ１０に送信され、受取人情報に基づいて利用者情報が特定されることに基づいて、宅配ボックス管理サーバ１０から、利用者情報に含まれるメールアドレス宛に、予約完了通知が送信される。予約完了通知には、宅配ボックス２０のボックス２１の予約が完了した旨や、予約された宅配ボックス２０の設置場所やボックス２１の番号や、予約期間等が含まれる。こうした通知がなされることによって、受取人である利用者は、荷物が宅配ボックス２０に配送される時期を早い段階で知ることができる。
【００９９】
＜宅配ボックスへの荷物の預入れ＞
図９を参照して、配送者によって、予約された宅配ボックス２０のボックス２１に荷物が預け入れられる手順について説明する。
【０１００】
配送者は、配送者端末４０を用いて予約した期間内に、予約された宅配ボックス２０に対象の荷物を運ぶ。
図９に示されるように、まず、配送者が宅配ボックス２０の操作部２４を操作して宅配ボックス２０に認証情報を入力することに基づいて、認証処理が行われる（ステップＳ６０）。認証情報は、ＩＤやパスワード等に具体化され、宅配ボックス管理サーバ１０に登録された配送者に対して予め通知される。
【０１０１】
認証情報は、宅配ボックス２０の記憶部２５に記憶されて、宅配ボックス２０の制御部２６が、入力された認証情報と、記憶部２５に記憶された認証情報との照合を行うことによって、認証処理を行ってもよい。あるいは、認証情報は、宅配ボックス管理サーバ１０の記憶部１２に記憶され、宅配ボックス２０に入力された認証情報は、宅配ボックス管理サーバ１０に送信されて、宅配ボックス管理サーバ１０の制御部１３が、受信した認証情報と、記憶部１２に記憶された認証情報との照合を行うことによって、認証処理を行ってもよい。こうした認証を受けることによって、配送者は宅配ボックス２０への荷物の預け入れ等、宅配ボックス２０を利用することが可能となる。
【０１０２】
認証が成立すると、配送者が宅配ボックス２０の操作部２４を操作することに基づいて、受取人情報が宅配ボックス２０に入力される（ステップＳ６１）。宅配ボックス２０の制御部２６は、通信部２２を介して、入力された受取人情報を宅配ボックス管理サーバ１０に送信する（ステップＳ６２）。なお、宅配ボックス２０に入力される受取人情報は、荷物の配送の依頼に際して配送者が取得した受取人情報、すなわち、配送者が保持している受取人情報の一部であることが好ましく、例えば、受取人の電話番号が、宅配ボックス２０に入力される。
【０１０３】
宅配ボックス管理サーバ１０の配送状況管理部１３ｃは、利用者情報データベース１２ａを参照して、宅配ボックス２０から受信した受取人情報と一致する情報を含む利用者情報を特定する（ステップＳ６３）。そして、配送状況管理部１３ｃは、特定した利用者情報の少なくとも一部を、通信部１１を介して、宅配ボックス２０に送信する（ステップＳ６４）。宅配ボックス２０に送信される利用者情報には、配送者が保持している受取人情報に含まれる情報であって、かつ、宅配ボックス管理サーバ１０が宅配ボックス２０から受信した受取人情報には含まれていない情報が含まれることが好ましい。例えば、利用者の氏名が宅配ボックス２０に送信される。
【０１０４】
宅配ボックス管理サーバ１０から利用者情報を受信すると、宅配ボックス２０の制御部２６は、表示部２３に、受信した利用者情報を表示させる（ステップＳ６５）。配送者は、表示された利用者情報が、配送者の保持している受取人情報に含まれる情報と一致するか否かを確認する。例えば、配送者は、利用者情報として表示部２３に表示された氏名が、配送者の保持する受取人情報に含まれる受取人の氏名と一致するか否かを確認する。これらの情報が一致する場合、荷物の宛先として記載されている受取人が、宅配ボックス管理サーバ１０に登録されている利用者であることが確認され、宅配ボックス２０の利用によって受取人に荷物を受け渡すことができることが確認される。
【０１０５】
利用者情報の確認が完了すると、配送者は、予約したボックス２１に荷物を預け入れ、荷物がボックス２１に入れられると、宅配ボックス２０の制御部２６は、ボックス２１に設けられたセンサーの検出結果に基づいて、当該ボックス２１に荷物が入れられたことを検知する（ステップＳ６６）。なお、制御部２６は、荷物の入れられたボックス２１を施錠する。そして、制御部２６は、通信部２２を介して、当該ボックス２１への荷物の入庫を宅配ボックス管理サーバ１０に通知する（ステップＳ６７）。
【０１０６】
宅配ボックス２０から入庫通知を受信すると、宅配ボックス管理サーバ１０の配送状況管理部１３ｃは、使用状況管理データ１２ｃを更新して、該当するボックス２１の空き情報のステータスを「使用中」に変更する（ステップＳ６８）。
【０１０７】
また、配送状況管理部１３ｃは、先のステップＳ６３にて特定した利用者情報に含まれるメールアドレス宛に、通信部１１を介して、配送完了通知をメールとして送信する（ステップＳ６９）。配送完了通知には、宅配ボックス２０への荷物の配送が完了した旨、および、宅配ボックス２０の設置場所や荷物が入れられているボックス２１の番号の通知と、ボックス２１を開錠するための認証情報とが含まれる。
【０１０８】
認証情報は、ボックス２１の開錠に必要なパスワード等である。認証情報は、例えば、ワンタイムパスワードであって、配送状況管理部１３ｃは、宅配ボックス２０から入庫通知を受信する度に、認証情報を生成して、生成した認証情報を、該当するボックス２１の今回の開錠のための認証情報として、当該ボックス２１と対応付けて記憶部１２に記憶することが好ましい。なお、上記認証情報は、ボックス２１の１回の開錠のみに使用可能されてもよいし、ボックス２１の予約期間の間、そのボックス２１の開錠に使用可能とされてもよい。
【０１０９】
＜宅配ボックスからの荷物の取出し＞
図１０を参照して、利用者によって、宅配ボックス２０のボックス２１から荷物が取り出される手順について説明する。
【０１１０】
図１０に示されるように、利用者は、配送完了通知の受取りに基づいて宅配ボックス２０の設置場所に赴き、宅配ボックス２０の操作部２４を操作して、宅配ボックス２０に、配送完了通知に記載された認証情報を入力する。認証情報の入力に基づいて、認証処理が行われる（ステップＳ７０）。
【０１１１】
具体的には、宅配ボックス２０に入力された認証情報は、宅配ボックス管理サーバ１０に送信されて、宅配ボックス管理サーバ１０の制御部１３が、受信した認証情報と、記憶部１２に記憶された認証情報との照合を行うことによって、認証処理を行う。認証が成立すると、宅配ボックス管理サーバ１０は、認証情報と対応付けられているボックス２１の番号を宅配ボックス２０に通知し、宅配ボックス２０の制御部２６は、通知された番号のボックス２１を開錠する。
【０１１２】
利用者は、開錠されたボックス２１に収容されている荷物を取り出し、ボックス２１から荷物が出されると、宅配ボックス２０の制御部２６は、ボックス２１に設けられたセンサーの検出結果に基づいて、当該ボックス２１から荷物が出されたことを検知する（ステップＳ７１）。そして、制御部２６は、通信部２２を介して、当該ボックス２１からの荷物の出庫を宅配ボックス管理サーバ１０に通知する（ステップＳ７２）。
【０１１３】
宅配ボックス２０から出庫通知を受信すると、宅配ボックス管理サーバ１０の配送状況管理部１３ｃは、使用状況管理データ１２ｃを更新して、該当するボックス２１の空き情報のステータスを「空室」に変更する（ステップＳ７３）。
【０１１４】
なお、空き情報のステータスが「空室」に変更されたボックス２１に次の予約が設定されている場合には、配送状況管理部１３ｃは、次の予約を設定している配送者の配送者端末４０に、予約しているボックス２１が空いたことを通知してもよい。配送者端末４０への通知は、例えば、メールによる送信や宅配ボックス管理サーバ１０の提供するウェブページでの通知によって行われればよい。
【０１１５】
また、ボックス２１に設定されている予約期間内に、利用者が当該ボックス２１から荷物を取り出さない場合、すなわち、宅配ボックス管理サーバ１０が宅配ボックス２０から当該ボックス２１についての出庫通知を受信しない場合には、宅配ボックス管理サーバ１０の配送状況管理部１３ｃは、以下の処理を行う。すなわち、配送状況管理部１３ｃは、当該ボックス２１から荷物が取り出されていないことを配送者端末４０に通知し、通知を受けると、配送者は、該当するボックス２１から荷物を回収する。また、配送状況管理部１３ｃは、荷物が回収される旨の通知を、配送完了通知を送信した宛先に送信することによって、荷物が回収されることを利用者に通知する。
【０１１６】
配送者端末４０への通知は、例えば、メールによる送信や宅配ボックス管理サーバ１０の提供するウェブページでの通知によって行われればよい。また、ボックス２１を開錠するための認証情報は、上記通知に含まれて配送者に伝達されてもよいし、配送者に割り当てられている宅配ボックス２０の利用のための認証情報によって認証が成立したときに、宅配ボックス管理サーバ１０の指示によって当該ボックス２１が開錠されてもよい。
【０１１７】
＜宅配ボックスの使用状況の集計＞
宅配ボックス管理サーバ１０によって行われる宅配ボックス２０の使用状況の集計の処理について説明する。
【０１１８】
上述のように、宅配ボックス管理サーバ１０の配送状況管理部１３ｃが使用状況管理データ１２ｃの更新を繰り返すことによって、使用状況管理データ１２ｃとして、過去の各宅配ボックス２０の使用状況が蓄積される。具体的には、配送状況管理部１３ｃが予約の設定を繰り返すことによって、各宅配ボックス２０の各ボックス２１に過去に設定された予約期間および予約者を示す情報が蓄積される。また、配送状況管理部１３ｃが空き情報のステータスの変更を繰り返すことによって、各宅配ボックス２０の各ボックス２１に過去に荷物が入れられていた期間および荷物を配送した配送者を示す情報が蓄積される。配送者は、荷物が入れられていた期間を含む予約期間の予約者である。
【０１１９】
宅配ボックス管理サーバ１０の集計部１３ｄは、使用状況管理データ１２ｃを用いて、宅配ボックス２０の過去の使用状況に関する集計を行う。例えば、集計部１３ｄは、配送者ごとの宅配ボックス２０の利用の程度を集計する。具体的には、集計部１３ｄは、配送者ごとに、各宅配ボックス２０の各ボックス２１が予約されていた期間の総期間を集計してもよいし、各宅配ボックス２０の各ボックス２１に荷物が入れられていた期間の総期間を集計してもよい。また、こうした集計が宅配ボックス２０ごとに行われてもよい。
【０１２０】
また例えば、集計部１３ｄは、宅配ボックス２０ごとの利用の程度を集計する。具体的には、宅配ボックス２０ごとに、宅配ボックス２０の各ボックス２１が予約されていた期間の総期間を集計してもよいし、各ボックス２１に荷物が入れられていた期間の総期間を集計してもよい。
【０１２１】
こうした集計は、週ごとや月ごと等、所定の期間ごとに行われる。なお、集計部１３ｄが行う集計は、宅配ボックス管理サーバ１０が記憶しているデータを利用した集計であれば、上述の例に限られない。
【０１２２】
集計部１３ｄは、集計の結果を集計データとして出力する。例えば、配送者ごとの宅配ボックス２０の利用の程度の集計結果を示す集計データは、宅配ボックス２０の利用時間に応じた配送者への課金に用いることが可能である。また、配送者ごとの宅配ボックス２０の利用の程度の集計結果や宅配ボックス２０ごとの利用の程度の集計結果は、宅配ボックス２０の利用状況の解析に用いることが可能である。
【０１２３】
［作用］
本実施形態の作用について説明する。本実施形態の宅配ボックス管理システムの利用によって、配送者は、荷物の配送先となる宅配ボックス２０の予約状況を確認して、ボックス２１を予約することができる。したがって、予約した宅配ボックス２０に荷物を配送することによって、配送者が、荷物を収容可能なボックス２１がないために宅配ボックス２０まで運んだ荷物を持ち帰り、再度配達することが抑えられる。したがって、荷物の配送効率が高められる。また、利用者は、複数の宅配ボックス２０のなかから、自分が利用しやすい宅配ボックス２０を選択し、この宅配ボックス２０を利用して荷物を受け取ることができるため、利用者の利便性も向上する。
【０１２４】
特に、本実施形態では、荷物の配送の依頼を受けた配送者が、宅配ボックス２０の予約を行う。例えば、利用者が、ＥＣサイトで商品の注文を行うときに、宅配ボックス２０の予約を行う例を比較対象として挙げる。こうした例では、利用者は、梱包後の商品である荷物の大きさを的確に把握することができず、また、配送者に荷物が受け渡される時期は、商品の在庫の状況によって変わるため、こうした時期を正確に把握することができず、さらに、荷物が宅配ボックス２０に配送される時期は、配送者の配送予定によって変わるため、こうした時期を正確に把握することもできない。その結果、利用者が、商品の注文時に宅配ボックス２０の予約を行う例では、配送時期のずれを考慮して長期間の予約を行ったり、配送時期のずれに応じて再予約を行ったりせざるを得ない。その結果、宅配ボックス２０のボックス２１に荷物が収容されていないにもかかわらず、そのボックス２１を第三者が利用できない期間が増加し、宅配ボックス２０の利用効率が悪化する。
【０１２５】
また、例えば、ＥＣサイトの担当者が、荷物の発送時に宅配ボックス２０の予約を行う例でも、ＥＣサイトの担当者は、配送者の配送予定を正確に把握できないため、同様の問題が生じる。
【０１２６】
これに対し、配送者は、荷物の大きさや配送時期を的確に把握できるため、本実施形態では、上記例と比較して、ボックス２１の予約期間が不要に長くなることが抑えられる。したがって、宅配ボックス２０の利用効率が高められる。例えば、新規予約は、予約の要求の受信時よりも後の期間のなかで既に予約が設定されていない期間に設定される。配送時期は予約の要求時よりも後であるから、このように、配送予定に応じた予約が行われることによって、宅配ボックス２０の利用効率が高められる。
【０１２７】
また、本実施形態では、配送者が確認できる予約状況には、複数の配送者端末４０からの予約が含まれている。したがって、配送者は、予約状況を確認することによって、配送者自身によっては知りえない他の配送者の配送予定を踏まえて、自信の配送予定に応じ、ボックス２１を予約することができる。
【０１２８】
さらに、複数の配送者によって配送される多様な種類の荷物、例えば、様々なＥＣサイト通じて購入された商品である荷物や、ＥＣサイトを経由せずに配送が依頼された荷物の配送を対象として設定された予約が予約状況に含まれる。それゆえ、予約状況には、宅配ボックス２０のボックス２１の使用される予定が的確に反映される。
【０１２９】
また、利用可能なボックス２１がない場合には、荷物の受取人である利用者に、配送不可通知が送られ、荷物の配送の代替手段の選択が求められる。このように、利用者の意向が配送に反映されることによって、再配達等の頻度が低減されて荷物の配送効率が高められるとともに、利用者の利便性も向上する。
【０１３０】
以上説明したように、本実施形態によれば、以下に列挙する効果を得ることができる。
（１）配送者端末４０からの宅配ボックス２０の指定を受けて、使用状況管理データ１２ｃに基づき、指定された宅配ボックス２０の有するボックス２１の予約状況を示す情報が生成されて配送者端末４０に送られる。そして、配送者端末４０からのボックス２１の予約の要求を受けて、使用状況管理データ１２ｃが更新され、ボックス２１の予約状況に含められる新規予約が設定される。
【０１３１】
こうした構成によれば、配送者は、宅配ボックス２０の予約状況を確認して、ボックス２１を予約することができる。したがって、配送者が、荷物を収容可能なボックス２１がないために宅配ボックス２０まで運んだ荷物を持ち帰り、再度配達することが抑えられる。その結果、荷物の配送効率が高められる。また、荷物の大きさや配送時期を的確に把握できる配送者が予約を行うため、ボックス２１の予約期間が不要に長くなることが抑えられる。したがって、宅配ボックス２０の利用効率が高められる。
【０１３２】
（２）使用状況管理データ１２ｃにおける新規予約は、現在、すなわち、予約の要求の受信時よりも後の期間のなかで予約期間が設定されていない期間に設定される。荷物の配送時期は予約の要求時よりも後であるから、こうした構成によって、ボックス２１の予約期間が不要に長くなることが抑えられ、宅配ボックス２０の利用効率が高められる。
【０１３３】
（３）配送者端末４０に送信されるボックス使用情報に含まれる予約状況には、複数の配送者端末４０からの要求を受けて設定された予約が含まれる。したがって、配送者は、予約状況を確認することによって、他の配送者端末４０を利用する配送者の配送予定を踏まえて、ボックス２１を予約することができる。
【０１３４】
（４）利用可能なボックス２１がない場合には、受取人である利用者の連絡先に、荷物の配送の代替手段の選択を求める通知が行われる。こうした構成によれば、利用者の意向が配送に反映されることによって、再配達等の頻度が低減されて荷物の配送効率が高められるとともに、利用者の利便性も向上する。
【０１３５】
（５）代替手段に、荷物の配送される宅配ボックス２０の変更、荷物の配送時期の延期、および、受取人への荷物の直接配送の少なくとも１つが含まれることによって、代替手段として適切な手段が利用者に示される。
【０１３６】
（６）使用状況管理データ１２ｃを用いて、配送者ごとの宅配ボックス２０の利用の程度が集計されるため、集計結果を利用して、配送者への課金や宅配ボックス２０の利用状況の解析を行うことができる。
【０１３７】
（変形例）
上記実施形態は、以下のように変更して実施することが可能である。
・利用者端末３０からの要求に応じて、宅配ボックス管理サーバ１０は、ボックス使用情報を利用者端末３０に送信してもよい。すなわち、利用者は、利用者端末３０を用いて、ボックス使用情報を確認可能であってもよい。こうした構成によれば、例えば、利用者は最初に配送先として宅配ボックス２０を指定する際や、配送先の宅配ボックス２０を変更する際に、ボックス２１の予約状況を確認して、設定されている予約の少ない宅配ボックス２０を配送先として選ぶこともできる。また、代替手段の選択に際して、いずれの手段を選択するかを検討する際の参考とすることもできる。また、上記構成において、宅配ボックス管理サーバ１０は、利用者端末３０からの要求に応じて、使用状況管理データ１２ｃを更新して新規予約を設定してもよい。すなわち、利用者によってボックス２１の予約が可能であってもよい。利用者によって所定の期間だけボックス２１が予約されることによって、利用者は、ボックス２１を占有することができる。
【０１３８】
・上記実施形態では、宅配ボックス２０の利用に際して、配送者と利用者とは、パスワード等の認証情報の入力によって認証を受けたが、認証の態様はこれに限らない。例えば、宅配ボックス２０もしくは宅配ボックス管理サーバ１０に登録された識別情報を記憶するＩＣカードが用いられ、宅配ボックス２０がＩＣカードから情報を読み取る機能を有していてもよい。こうした構成においては、配送者や利用者は、宅配ボックス２０にＩＣカードの識別情報を読み取らせ、宅配ボックス２０もしくは宅配ボックス管理サーバ１０にて、記憶されている識別情報と読み取られた識別情報との照合が行われることによって、認証が行われる。上記構成においては、配送完了通知にて利用者に認証情報が通知される必要はない。
【０１３９】
・配送完了通知にて認証情報の通知が必要でない場合には、利用者への配送の完了の通知は、宅配ボックス管理サーバ１０から行われなくてもよい。例えば、配送者による荷物の配送予定を管理するシステム等から通知が行われてもよい。
【０１４０】
・上記実施形態では、すべての予約の設定について、予約期間が設定されたが、予約の設定の態様はこれに限られない。例えば、宅配ボックス管理サーバ１０の配送状況管理部１３ｃは、予約の設定として、対象のボックス２１に対する予約の優先順番を予約の先行順に決め、ボックス２１が空室になり次第、優先順番に従ってボックス２１を利用可能としてもよい。
【０１４１】
・予約状況には、予約期間や予約者に加えて、受取人が含まれてもよい。この場合、予約の要求に際して、配送者端末４０には受取人情報が入力され、宅配ボックス管理サーバ１０に送信される。そして、宅配ボックス管理サーバ１０は、受信した受取人情報と一致する利用者情報に対応する利用者を受取人として特定し、予約の設定として、予約期間や予約者とともに受取人を設定する。こうした構成によれば、配送者は、配送者端末４０を通じて、予約状況を確認することによって、予約されているボックス２１に預け入れられる荷物の受取人がわかる。したがって、例えば、配送しようとする荷物の受取人と同一の受取人である予約が既に設定されている場合、配送者は、既に予約されているボックス２１に追加で荷物を預け入れるようにしてもよい。このように、予約状況の確認によって、受取人が同一である複数の荷物が、１つのボックス２１に配送されるようにすることも可能である。
【０１４２】
・ＥＣサイトサーバ５０と宅配ボックス管理サーバ１０とが連携し、これらのサーバ間でデータの送受信が行われてもよい。
例えば、利用者情報の登録に際して、ＥＣサイトサーバ５０にＥＣサイトの会員の情報として記憶されている利用者の氏名等の情報が、ＥＣサイトサーバ５０から宅配ボックス管理サーバ１０に送信され、宅配ボックス管理サーバ１０は、ＥＣサイトサーバ５０から取得した情報を利用者情報として利用者情報データベース１２ａに登録してもよい。
【０１４３】
また例えば、配送先としての宅配ボックス２０の指定に際して、ＥＣサイトで購入した商品が、商品の種類や大きさ等の観点において、利用者が選択した宅配ボックス２０に収容可能な商品であるか否かがＥＣサイトサーバ５０にて判断され、収容可能でない場合には、ＥＣサイトサーバ５０から利用者端末３０に警告が通知されてもよい。
【０１４４】
また例えば、ＥＣサイトサーバ５０から荷物の発送時期やサイズが宅配ボックス管理サーバ１０に通知され、配送者は、配送者端末４０を通じて荷物の発送時期やサイズを確認することによって、こうした情報に応じて、荷物の配送予定の計画や宅配ボックス２０の予約を行ってもよい。
【０１４５】
また例えば、宅配ボックス管理サーバ１０から予約の完了の通知を受けて、ＥＣサイトサーバ５０が配送完了通知を利用者に通知してもよい。このとき、例えば、荷物に含まれる商品の情報等が配送完了通知に含まれてもよい。
【０１４６】
・上記実施形態にて説明したように、予約期間中に受取人による荷物の回収が行われない場合を考慮して、同一のボックス２１について、１つの予約期間の後に設定される予約期間は、前の予約期間から、例えば１２時間や１日等の所定の期間をあけて設定されることが好ましい。ここで、上記前の予約期間内に荷物の回収が行われた場合、すなわち、該当するボックス２１についての荷物の出庫通知を宅配ボックス２０から宅配ボックス管理サーバ１０が受けて、使用状況管理データ１２ｃにて当該ボックス２１の空き情報のステータスが「空室」とされた場合には、こうした予約期間の間隔についての制限が解除されることが好ましい。すなわち、前に設定されている予約期間から所定の期間が経過していなくても当該ボックス２１の予約が可能とされることが好ましい。こうした構成によれば、宅配ボックス２０の利用効率が高められる。
【０１４７】
・予約の要求の受信時よりも後の期間のなかで、新規予約の設定可能な期間が所定の期間に制限されていてもよい。例えば、予約の要求の受信時よりも１日以上３日以下の範囲で後の期間内、すなわち、ボックス２１に荷物を預け入れる予定日の３日前から前日までの期間内のみを、予約期間の開始時として、新規予約の設定が可能であってもよい。この場合、宅配ボックス管理サーバ１０の配送状況管理部１３ｃは、予約の要求の受信時よりも後の期間のなかで、上記所定の期間内であって既に予約期間が設定されていない期間に、新規予約を設定する。
【０１４８】
また、配送状況管理部１３ｃは、配送者端末４０からの要求を受けて、設定された予約を取り消すように、使用状況管理データ１２ｃを更新してもよく、この場合も、予約の取り消しが可能な期間が所定の期間に制限されていてもよい。例えば、予約期間の開始時の１日前まで予約の取り消しが可能であってもよい。
【０１４９】
これらの構成によれば、不要な期間の予約が抑えられて、宅配ボックス２０の利用効率がさらに高められる。
・上述のように、新規予約の設定可能な期間が所定の期間に制限されている場合であっても、予約したボックス２１が、予約期間の開始時になっても、前に入れられた荷物が取り出されずに使用可能とならない場合には、空いている他のボックス２１に、振替予約が可能とされてもよい。すなわち、配送者端末４０からの要求を受けて、宅配ボックス管理サーバ１０の配送状況管理部１３ｃは、予約期間の開始時になっても、出庫通知が受信されず、空き情報のステータスが「空室」とならないボックス２１に設定されている予約を、予約期間の設定されていない他のボックス２１へ切り替える振替予約を設定する。こうした構成によれば、受取人によるボックス２１からの荷物の回収が予定通りに行われない状況が発生した場合でも、他の荷物の配送が円滑に進められる。
【０１５０】
・宅配ボックス２０は、ボックス２１への荷物の出し入れを撮影するカメラ等の撮影装置を備えていてもよい。撮影装置による撮影データは、宅配ボックス２０から宅配ボックス管理サーバ１０に送信されて、種々の管理に用いられる。例えば、利用者が、ボックス２１から荷物を取り出した後に、別の荷物をボックス２１に入れた場合、すなわち、ボックス２１からの荷物の出庫が検知された直後に、配送者の認証を経ずに、荷物の入庫が検知された場合、このボックス２１に荷物が出し入れされた期間の撮影データが宅配ボックス管理サーバ１０に送信される。そして、撮影データの解析に基づいて、配送対象の荷物とは異なる荷物の入庫やその入庫者が確認されると、利用者情報データベース１２ａに登録されている利用者情報を用いて、例えば、荷物を入庫した利用者へ着払いでの荷物の返送が行われる。こうした構成によれば、宅配ボックス２０の予定外の利用が抑えられる。
【０１５１】
・受取人が、ボックス２１から荷物を取り出したものの、その荷物が受取人が受け取る予定の荷物ではなかった場合、宅配ボックス２０に備えられたボタンの押下等に基づいて、荷物の誤配送の通知が、宅配ボックス２０から、宅配ボックス管理サーバ１０や荷物の誤配送に対応する担当者が配置された２４時間対応のセンター等に対して行われてもよい。荷物の誤配送の通知が宅配ボックス管理サーバ１０に送られた場合には、宅配ボックス管理サーバ１０から、対象の荷物を配送した配送者の配送者端末４０へ、荷物の誤配送の通知がさらに行われ、配送者によって荷物の回収等の対応が行われればよい。
【０１５２】
・上記実施形態では、宅配ボックス２０は、重量センサーや赤外線センサー等のセンサーによってボックス２１の内部の物体の有無を検知したが、これに代えて、例えば、カメラ等の撮影装置によってボックス２１の内部の物体の有無を検知してもよく、宅配ボックス２０は、ボックス２１への荷物の出し入れを検知可能な構成を有していればよい。
【０１５３】
・ボックス使用情報の確認に際して配送者端末４０によって指定される宅配ボックス２０は、荷物の受取人である利用者が指定した宅配ボックス２０でなくてもよい。すなわち、配送先である宅配ボックス２０は、受取人に限らず、例えば、荷物の発送者によって指定されてもよい。
【０１５４】
・配送対象の荷物は、配送者が配送の依頼を受けた荷物であればよく、受取人がＥＣサイトを通じて購入した商品に限られない。
【符号の説明】
【０１５５】
１０…宅配ボックス管理サーバ、１１…通信部、１２…記憶部、１２ａ…利用者情報データベース、１２ｂ…宅配ボックス情報データベース、１２ｃ…使用状況管理データ、１３…制御部、１３ａ…利用者情報管理部、１３ｂ…宅配ボックス情報管理部、１３ｃ…配送状況管理部、１３ｄ…集計部、２０…宅配ボックス、２１…ボックス、２２…通信部、２３…表示部、２４…操作部、２５…記憶部、２６…制御部、３０…利用者端末、４０…配送者端末、５０…ＥＣサイトサーバ。
【図１】
0006544034.tif 000002
【図２】
0006544034.tif 000003
【図３】
0006544034.tif 000004
【図４】
0006544034.tif 000005
【図５】
0006544034.tif 000006
【図６】
0006544034.tif 000007
【図７】
0006544034.tif 000008
【図８】
0006544034.tif 000009
【図９】
0006544034.tif 000010
【図１０】
0006544034.tif 000011